(57)【要約】  【課題】被加熱物を適切に加熱調理できる連続式加熱調理装置を提供する。  【解決手段】連続式加熱調理装置１は、熱気供給手段８からの熱気および蒸気供給手段９からの蒸気で被加熱物Ａを加熱可能な第１加熱室11と、第１加熱室11と隣接して位置して遠赤外線ヒータ10で被加熱物Ａを加熱可能な第２加熱室12とを備える。連続式加熱調理装置１は、被加熱物Ａが第１加熱室11および第２加熱室12を順次通過するように被加熱物Ａを搬送する搬送コンベヤ13を備える。  【選択図】図１
2006034389.tif 000002
【特許請求の範囲】
【請求項１】
被加熱物を搬送しながら連続的に加熱調理する連続式加熱調理装置であって、
熱気供給手段からの熱気および蒸気供給手段からの蒸気のうちの少なくともいずれか一方によって被加熱物の加熱が行われる第１加熱室と、
この第１加熱室と隣接した状態に配設され、遠赤外線加熱手段によって被加熱物の加熱が行われる第２加熱室と、
被加熱物が前記第１加熱室および前記第２加熱室を順次通過するように被加熱物を搬送する搬送手段と
を備えることを特徴とする連続式加熱調理装置。
【請求項２】
第１加熱室が内部に形成され、前記第１加熱室に面した入口側開口が一側面部に形成され、前記第１加熱室に面した出口側開口が他側面部に形成された箱状の本体部と、
この本体部の一側面部における前記入口側開口に臨んだ部分から一側方に向って突出した筒状入口部と、
前記本体部の他側面部における前記出口側開口に臨んだ部分から他側方に向って突出した筒状出口部と
を備えることを特徴とする請求項１記載の連続式加熱調理装置。
【請求項３】
筒状入口部側からの余剰蒸気を受け入れこの受け入れた余剰蒸気を排気煙突部から排気する入口側煙突付排気フードと、
筒状出口部側からの余剰蒸気を受け入れこの受け入れた余剰蒸気を排気煙突部から排気する出口側煙突付排気フードと
を備えることを特徴とする請求項２記載の連続式加熱調理装置。
【発明の詳細な説明】
【技術分野】
【０００１】
本発明は、被加熱物を適切に加熱調理できる連続式加熱調理装置に関するものである。
【背景技術】
【０００２】
従来、例えば搬送体と、加熱方法の異なる複数種の加熱装置（赤外線加熱装置および熱風加熱装置）とを備え、搬送体による被加熱物の搬送方向に沿った細長状の１つの加熱室を４つの領域に分けて各領域ごとに各加熱装置を制御するようにした連続複合加熱機が知られている（例えば、特許文献１参照）。
【特許文献１】実開昭６３−１３６５２７号公報
【発明の開示】
【発明が解決しようとする課題】
【０００３】
しかしながら、上記従来の連続複合加熱機では、複数の領域に分けられた１つの加熱室内において、食材等の被加熱物の加熱が異なる加熱方法によって行われるようになっており、隣りの異なる加熱方法による領域の影響を受けやすいため、被加熱物の加熱調理に不具合が生じるおそれがある。
【０００４】
本発明は、このような点に鑑みなされたもので、被加熱物を適切に加熱調理できる連続式加熱調理装置を提供することを目的とする。
【課題を解決するための手段】
【０００５】
請求項１記載の連続式加熱調理装置は、被加熱物を搬送しながら連続的に加熱調理する連続式加熱調理装置であって、熱気供給手段からの熱気および蒸気供給手段からの蒸気のうちの少なくともいずれか一方によって被加熱物の加熱が行われる第１加熱室と、この第１加熱室と隣接した状態に配設され、遠赤外線加熱手段によって被加熱物の加熱が行われる第２加熱室と、被加熱物が前記第１加熱室および前記第２加熱室を順次通過するように被加熱物を搬送する搬送手段とを備えるものである。
【０００６】
そして、熱気供給手段からの熱気および蒸気供給手段からの蒸気のうちの少なくともいずれか一方によって被加熱物の加熱が行われる第１加熱室と、この第１加熱室と隣接した状態に配設され遠赤外線加熱手段によって被加熱物の加熱が行われる第２加熱室とを備えるため、１つの加熱室内で異なる加熱方法によって被加熱物を加熱する場合に比べて、被加熱物を適切に加熱調理することが可能となる。
【０００７】
請求項２記載の連続式加熱調理装置は、請求項１記載の連続式加熱調理装置において、第１加熱室が内部に形成され、前記第１加熱室に面した入口側開口が一側面部に形成され、前記第１加熱室に面した出口側開口が他側面部に形成された箱状の本体部と、この本体部の一側面部における前記入口側開口に臨んだ部分から一側方に向って突出した筒状入口部と、前記本体部の他側面部における前記出口側開口に臨んだ部分から他側方に向って突出した筒状出口部とを備えるものである。
【０００８】
そして、本体部の一側面部における入口側開口に臨んだ部分から一側方に向って突出した筒状入口部と、本体部の他側面部における出口側開口に臨んだ部分から他側方に向って突出した筒状出口部とを備えるため、例えば第１加熱室の蒸気が第１加熱室外に逃げにくくなり、被加熱物をより一層適切に加熱調理することが可能となる。
【０００９】
請求項３記載の連続式加熱調理装置は、請求項２記載の連続式加熱調理装置において、筒状入口部側からの余剰蒸気を受け入れこの受け入れた余剰蒸気を排気煙突部から排気する入口側煙突付排気フードと、筒状出口部側からの余剰蒸気を受け入れこの受け入れた余剰蒸気を排気煙突部から排気する出口側煙突付排気フードとを備えるものである。
【００１０】
そして、入口側煙突付排気フードにて筒状入口部側からの余剰蒸気を適切に排気することが可能となるとともに、出口側煙突付排気フードにて筒状出口部側からの余剰蒸気を適切に排気することが可能となる。
【発明の効果】
【００１１】
請求項１に係る発明によれば、熱気供給手段からの熱気および蒸気供給手段からの蒸気のうちの少なくともいずれか一方によって被加熱物の加熱が行われる第１加熱室と、この第１加熱室と隣接した状態に配設され遠赤外線加熱手段によって被加熱物の加熱が行われる第２加熱室とを備えるため、１つの加熱室内で異なる加熱方法によって被加熱物を加熱する場合に比べて、被加熱物を適切に加熱調理でき、しかも、搬送手段にて被加熱物が第１加熱室および第２加熱室を順次通過するように被加熱物を搬送するため、例えば後工程の第２加熱室において、遠赤外線加熱手段によって被加熱物をその内部から適切に加熱できる。
【００１２】
請求項２に係る発明によれば、本体部の一側面部における入口側開口に臨んだ部分から一側方に向って突出した筒状入口部と、本体部の他側面部における出口側開口に臨んだ部分から他側方に向って突出した筒状出口部とを備えるため、例えば第１加熱室の蒸気が第１加熱室外に逃げにくくなり、被加熱物をより一層適切に加熱調理できる。
【００１３】
請求項３に係る発明によれば、入口側煙突付排気フードにて筒状入口部側からの余剰蒸気を適切に排気できるとともに、出口側煙突付排気フードにて筒状出口部側からの余剰蒸気を適切に排気できる。
【発明を実施するための最良の形態】
【００１４】
本発明の連続式加熱調理装置の一実施の形態を図面を参照して説明する。
【００１５】
図１ないし図５において、１は連続式加熱調理装置で、この連続式加熱調理装置１は、例えば給食センター等に設置され、食材等の被加熱物Ａをこの被加熱物Ａを網等のトレイＢに載せた状態として水平な搬送方向に搬送しながら連続的に加熱調理する業務用の調理装置（スチーム遠赤オーブン）である。
【００１６】
そして、連続式加熱調理装置１は、熱気のみによる加熱、蒸気のみによる加熱および熱気・蒸気の両方による加熱を選択的に行うことが可能なスチームコンベクションオーブン（第１加熱部）３と遠赤外線による加熱を行う遠赤外線加熱機（第２加熱部）４とを組み合わせて一体化したもので、操作パネル５の操作に基づく制御手段６からの制御により所望の加熱条件で被加熱物Ａの加熱が行われる。
【００１７】
連続式加熱調理装置１は、熱気供給手段８からの熱気および蒸気供給手段９からの蒸気のうちの少なくともいずれか一方によって被加熱物Ａの加熱が行われる第１加熱室11と、この第１加熱室11とは別室として形成されこの第１加熱室11と隣接した状態に配設され複数の遠赤外線加熱手段である遠赤外線ヒータ10によって被加熱物Ａの加熱が行われる第２加熱室12とを備えている。
【００１８】
また、連続式加熱調理装置１は、被加熱物Ａが第１加熱室11および第２加熱室12を順次通過するように被加熱物Ａを搬送方向に向けて搬送するロッド式の搬送手段である搬送コンベヤ13を備えている。
【００１９】
第１加熱室11は、前面部21、後面部22、左右の側面部23，24、上面部25および下面部26を有する略直方体状で箱状の本体部である第１本体部27の内部に形成されている。
【００２０】
第１本体部27の一側面部（正面視右側の側面部）23には、第１加熱室11に面した横長略矩形状の入口側開口28が形成されている。そして、この第１本体部27の一側面部23における入口側開口28に臨んだ部分からは、断面横長略矩形状をなす略四角筒状の筒状入口部（入口側トンネル）29が一側方に向って突出しており、この筒状入口部29の先端位置の開口30が調理前の被加熱物Ａの入口となっている。この開口（入口）30は、複数の被加熱物Ａを２列のトレイＢに載せたまま通過させることができる最小限の大きさのものである。
【００２１】
第１本体部27の他側面部（正面視左側の側面部）24には、第１加熱室11に面した横長略矩形状の出口側開口31が形成されている。そして、この第１本体部27の他側面部24における出口側開口31に臨んだ部分からは、断面横長略矩形状をなす略四角筒状の筒状出口部（出口側トンネル）32が他側方に向って突出しており、この筒状出口部32の先端位置の開口33が調理途中の被加熱物Ａの中間出口となっている。この開口（中間出口）33は、複数の被加熱物Ａを２列のトレイＢに載せたまま通過させることができる最小限の大きさのものである。
【００２２】
なお、前面部21の少なくとも一部、後面部22の少なくとも一部および上面部25の少なくとも一部が、掃除時或いはメンテナンス時に第１加熱室11を開放できるように開閉扉34にて構成されている（図２および図４参照）。
【００２３】
また、第１本体部27から突出した筒状入口部29の上方部には、筒状入口部29側からの余剰蒸気（つまり入口から流出して上方に流動する余剰蒸気）をフード本体部36で受け入れこの受け入れた余剰蒸気を排気煙突部37から上方に向けて排気する入口側煙突付排気フード38が配設されている。
【００２４】
フード本体部36は、前後に互いに離間対向した対向板41を有し、両対向板41の水平状の上縁部相互は、第１本体部27の上面部と略同一面上に位置する天板42にて連結されている。両対向板41の傾斜状の縁部相互は傾斜板43にて連結されている。両対向板41の垂直状の縁部相互は垂直板44にて連結されている。この垂直板44には筒状入口部29の先端位置の開口30と離間対向した横長略矩形状の開口45が切欠形成されている。また、排気煙突部37は、上下方向に延びた略四角筒状のもので、フード本体部36の天板42から上方に向って垂直状に突出しており、この排気煙突部37の内部空間はフード本体部36の内部空間に連通している。
【００２５】
一方、第１本体部27から突出した筒状出口部32の少なくとも上方部には、筒状出口部32側からの余剰蒸気（つまり中間出口から流出して上方に流動する余剰蒸気）をフード本体部46で受け入れこの受け入れた余剰蒸気を排気煙突部47から上方に向けて排気する出口側煙突付排気フード48が配設されている。
【００２６】
フード本体部46は、前後に互いに離間対向した対向板51を有し、両対向板51の水平状の上縁部相互は、第１本体部27の上面部25と略同一面上に位置する天板52にて連結されている。また、排気煙突部47は、上下方向に延びた略四角筒状のもので、フード本体部46の天板52から上方に向って垂直状に突出しており、この排気煙突部47の内部空間はフード本体部46の内部空間に連通している。
【００２７】
また一方、第１加熱室11に熱気を供給する熱気供給手段８は、第１加熱室11を通過する搬送コンベヤ13の上方位置および下方位置に配設され搬送コンベヤ13によって移送される被加熱物Ａに向けて噴射する熱気噴射孔が複数形成された着脱可能な中空状の複数の熱気案内体55と、これら熱気案内体55内に熱気を送り込んで第１加熱室11において熱気を循環させるファン56と、高温の熱気を発生させる熱気発生手段であるセラミックバーナー57とを有している。
【００２８】
また、第１加熱室11に蒸気を供給する蒸気供給手段９は、第１加熱室11を通過する搬送コンベヤ13より下方の位置に配設され蒸気噴射孔が複数形成された複数本の蒸気供給パイプ58を有し、蒸気供給パイプ58の基端側が高温の蒸気を発生させる蒸気発生手段（図示せず）に接続されている。
【００２９】
第２加熱室12は、前面部61、後面部62、左右の側面部63，64、上面部65および下面部66を有する略直方体状で箱状の本体部である第２本体部67の内部に形成されている。
【００３０】
第２本体部67の一側面部（正面視右側の側面部）63には第２加熱室12に面した横長略矩形状の入口側開口68が形成され、第２本体部67の他側面部（正面視左側の側面部）64には第２加熱室12に面した横長略矩形状の出口側開口69が形成されている。そして、入口側開口68が調理途中の被加熱物Ａの中間入口、出口側開口69が調理済の被加熱物Ａの出口となっており、それら中間入口および出口はいずれも複数の被加熱物Ａを２列のトレイＢに載せたまま通過させることができる最小限の大きさのものである。また、入口側開口（中間入口）68から流出して上方に流動する熱気等は第１本体部27および第２本体部67間に配設された出口側煙突付排気フード48の排気煙突部47から排気され、出口側開口（出口）69から流出して上方に流動する熱気等は排気フード70の排気煙突部71から排気される。
【００３１】
なお、前面部61の少なくとも一部および上面部65の少なくとも一部が、掃除時或いはメンテナンス時に第２加熱室12を開放できるように開閉扉72にて構成されている（図３および図４参照）。
【００３２】
また、図１および図３に示されるように、第２本体部67の下面部66は傾斜面を有する油受皿部73にて構成され、この油受皿部73の最下部には排水口と接続した排水管であるオーバーフロー管74が立設されている。そして、調理時には給水管75から給水が行なわれて水が少量づつオーバーフロー管74から排水される程度とし、水面に落下した油分を優先して排水させ引火を防止させている。
【００３３】
さらに、複数の遠赤外線ヒータ10は、第２加熱室12を通過する搬送コンベヤ13の上方位置および下方位置に搬送方向に沿って並設されている。各遠赤外線ヒータ10は、通電に基いて遠赤外線を放射して被加熱物Ａを内部から加熱するもので、搬送方向と直交する方向に長手方向を有する長手状に形成され、ヒータ取付部81に取り付けられている。ヒータ取付部81は、平行リンク82にて保持され、この平行リンク82の回動で上下動可能となっている。このため、遠赤外線ヒータ10は、調理時に搬送コンベヤ13の搬送面部83上の被加熱物Ａを加熱する接近位置と掃除時或いはメンテナンス時に搬送コンベヤ13の搬送面部83からやや離れて位置する離反位置との間で上下動可能となっている。すなわち、遠赤外線ヒータ10は搬送コンベヤ13の搬送面部83に対して進退可能となっている。また、複数の遠赤外線ヒータ10はそれぞれ個別にオンオフが可能で、入口側開口68から出口側開口69に向けて必要な熱量分の遠赤外線ヒータ10をオン状態とすることができるようになっている。さらに、複数の遠赤外線ヒータ10はそれぞれ個別に加熱の強弱が可能で遠赤外線による加熱調整ができるようになっている。
【００３４】
また、第２加熱室12に下部には、掃除時に第２加熱室12に蒸気を供給する掃除用蒸気供給手段である蒸気供給パイプ84が配設され、この蒸気供給パイプ84には蒸気噴射孔が複数形成されている。この蒸気供給パイプ84の基端側は高温の蒸気を発生させる蒸気発生手段（図示せず）に接続されている。
【００３５】
搬送コンベヤ13は、２列のロッドコンベヤにて構成されたもので、被加熱物Ａが入口側煙突付排気フード38の開口45、筒状入口部29の先端位置の開口（入口）30、筒状入口部29の内部空間、第１本体部の入口側開口28、第１加熱室11、第１本体部27の出口側開口31、筒状出口部32の内部空間、筒状出口部32の先端位置の開口（中間出口）33、出口側煙突付排気フード48内、第２本体部67の入口側開口（中間入口）68、第２加熱室12、第２本体部67の出口側開口69および排気フード70の開口71aを順次通過するように被加熱物Ａを搬送方向に向けて搬送する無端状の搬送面部83を有している。そして、この無端状の搬送面部83は、複数の回転体85に掛け渡され、駆動モータ86からの動力で所定方向に向って回転する。
【００３６】
次に、上記一実施の形態の作用等を説明する。
【００３７】
連続式加熱調理装置１を使用して加熱調理をする場合は、トレイＢに載せられた調理対象物である食材等の被加熱物Ａを搬送コンベヤ13の搬送面部83にて搬送方向に向けて搬送し、第１加熱室11および第２加熱室12を順次通過させる。
【００３８】
第１加熱室11では、例えば熱気供給手段８の熱気案内体55からの熱気と蒸気供給手段９の蒸気供給パイプ58からの蒸気とによって被加熱物Ａの加熱が行われる。このとき、第１加熱室11内は、蒸気が充満されることによって被加熱物Ａがもっている水分はある程度保持され、特に被加熱物Ａの表面部分から内部に向けて加熱される。なお、被加熱物Ａの種類によっては、循環する熱気（熱風）のみで加熱処理したり、充満した蒸気のみで加熱処理したりすることもある。
【００３９】
次いで、第１加熱室11に隣接した第２加熱室12では、複数の遠赤外線ヒータ10によって被加熱物Ａの加熱が行われる。このとき、第１加熱室11で一次加熱処理された被加熱物Ａは、所定の接近位置に位置した上下の複数の遠赤外線ヒータ10から放射される遠赤外線によってその被加熱物Ａの内部から加熱される。こうして、被加熱物Ａは、隣合う２つの加熱室11，12内で所望の加熱条件に基いて順次加熱される。
【００４０】
また、連続式加熱調理装置１の掃除時やメンテナンス時には、開閉扉34および開閉扉72を開き、第１加熱室11および第２加熱室12の内部全体が容易に確認できるようそれぞれ開放させる。また、第２加熱室12では、搬送コンベヤ13の搬送面部83周辺の空間を広げるために、ヒータ取付部81を移動させて遠赤外線ヒータ10を所定の離反位置に位置させる。なお、第２加熱室12内の掃除の際には、付着した汚れを取れやすくするために、蒸気供給パイプ84からの蒸気を第２加熱室12に充満させる。
【００４１】
そして、上記一実施の形態によれば、熱気供給手段８からの熱気および蒸気供給手段９からの蒸気のうちの少なくともいずれか一方によって被加熱物Ａの加熱が行われる第１加熱室11と、この第１加熱室11と隣接した状態に配設され遠赤外線ヒータ10によって被加熱物Ａの加熱が行われる第２加熱室12とを備えるため、従来のような１つの加熱室内で異なる加熱方法によって被加熱物を加熱する場合に比べて、それぞれの加熱方法に適応させた別々の室内の中で被加熱物Ａを適切に加熱調理でき、よって例えば様々な食材においても複数の加熱方法を用いて、それぞれ所望の加熱条件で適切に調理することができる。しかも、搬送コンベヤ13にて被加熱物Ａが第１加熱室11および第２加熱室12を順次通過するように被加熱物Ａを搬送するため、例えば後工程の第２加熱室12において、遠赤外線ヒータ10によって被加熱物Ａをその内部から適切な熱量でもって加熱することができる。
【００４２】
また、第１本体部27の一側面部23における入口側開口28に臨んだ部分から一側方に向って突出した筒状入口部29と、第１本体部27の他側面部24における出口側開口31に臨んだ部分から他側方に向って突出した筒状出口部32とを備えるため、被加熱物Ａの調理時に第１加熱室11の蒸気が第１加熱室11外に逃げにくく充満させることが可能となり、第１加熱室11内に必要とされる蒸気の流出を抑制でき、被加熱物Ａをより一層適切に加熱調理できる。
【００４３】
さらに、第２加熱室12側では、遠赤外線ヒータ10を接近位置および離反位置間で移動可能とし、かつ開閉扉72および蒸気供給パイプ84を設けたため、掃除やメンテナンスを容易に行うことができる。
【００４４】
なお、上記実施の形態では、第２加熱室12内で被加熱物Ａを加熱する遠赤外線加熱手段が遠赤外線ヒータである場合について説明したが、遠赤外線加熱手段はガスを利用する遠赤外線ガスバーナ等でもよい。
【００４５】
また、上記実施の形態では、第１加熱室11側の筒状出口部32の先端位置の開口（中間出口）33と第２加熱室12側の側面部63の入口側開口（中間入口）68とが間隙を介して離間対向した構成について説明したが、第１加熱室11側の筒状出口部32の先端部が第２加熱室12側の側面部63における入口側開口68の周縁部に当接した構成等でもよい。
【図面の簡単な説明】
【００４６】
【図１】本発明の連続式加熱調理装置の一実施の形態を示す正面視断面図である。
【図２】同上連続式加熱調理装置の第１加熱室部分の側面視断面図である。
【図３】同上連続式加熱調理装置の第２加熱室部分の側面視断面図である。
【図４】同上連続式加熱調理装置の平面図である。
【図５】同上連続式加熱調理装置の正面図である。
【符号の説明】
【００４７】
１    連続式加熱調理装置
８    熱気供給手段
９    蒸気供給手段
10    遠赤外線加熱手段である遠赤外線ヒータ
11    第１加熱室
12    第２加熱室
13    搬送手段である搬送コンベヤ
23    一側面部
24    他側面部
27    本体部である第１本体部
28    入口側開口
29    筒状入口部
31    出口側開口
32    筒状出口部
37，47    排気煙突部
38    入口側煙突付排気フード
48    出口側煙突付排気フード
【図１】
2006034389.tif 000003
【図２】
2006034389.tif 000004
【図３】
2006034389.tif 000005
【図４】
2006034389.tif 000006
【図５】
2006034389.tif 000007